(57)【要約】【課題】固定された電子部品と線材の固定状態を、結束バンドを切断することなく、解除することを可能とした情報送信装置を提供する。【解決手段】バンド部と結束部を有する結束バンドと、結束バンドのバンド部が通ることが可能な開口部が形成された固定部を有する電子部品と、結束バンドの結束部とバンド部により結束された1又は複数の線材とを備え、バンド部が、電子部品の固定部の開口部に挿入されることにより、１又は複数の線材に電子部品が固定されたことを特徴とする電子部品組立品の提供を可能とする。【選択図】図５
2018182176.tif 000002
【特許請求の範囲】
【請求項１】
バンド部と結束部を有する結束バンドと、
前記結束バンドの前記バンド部が通ることが可能な開口部が形成された固定部を有する電子部品と、
前記結束バンドの前記結束部と前記バンド部により結束された1又は複数の線材と、
を備え、
前記バンド部が、前記電子部品の固定部の前記開口部に挿入されることにより、前記１又は複数の線材に前記電子部品が固定されたことを特徴とする、電子部品組立品。
【請求項２】
前記バンド部が、前記電子部品の固定部の前記開口部に挿入、嵌合されることにより、前記電子部品と線材が固定されていることを特徴とする、請求項１に記載の電子部品組立品。
【請求項３】
前記バンド部が弾性を有し、前記電子部品の固定部の前記開口部に挿入されることにより、前記電子部品と線材が固定されていることを特徴とする、請求項１に記載の電子部品組立品。
【請求項４】
１又は複数の線材が、前記結束部に備わる挿入口に前記バンド部を通して形成された閉ループに通されてから、結束バンドのバンド部と結束部の歯合作用によって締められていることを特徴とする、請求項１乃至３に記載の電子部品組立品。
【請求項５】
該バンド部のうちの前記閉ループを形成しない部分が、前記電子部品の固定部の前記開口部に挿入されていることを特徴とする、請求項４に記載の電子部品組立品。
【請求項６】
前記電子部品が、フェライトコアと、該フェライトコアを収納するハウジングを備え、前記１又は複数の線材が前記フェライトコアにより包囲されていることを特徴とする、請求項１乃至５の何れか１項に記載の電子部品組立品。
【請求項７】
前記電子部品が、少なくとも2つに分割されたフェライトコアと、該フェライトコアが収納され、開閉自在に構成されたハウジングを備え、前記ハウジングが閉じた状態において前記１又は複数の線材が２つの分割されたフェライトコアにより包囲されていることを特徴とする、請求項１乃至６の何れか１項に記載の電子部品組立品。
【請求項８】
前記結束バンドが、前記電子部品を、前記電子部品が搭載される電子機器又は該電子機器の近傍又は周辺に固定するための固定部を有することを特徴とする、請求項１乃至７の何れか１項に記載の電子部品組立品。
【請求項９】
1又は複数の線材を、結束バンドとバンド部によって結束する結束ステップと、
前記結束バンドのバンド部を、電子部品の固定部の開口部に挿入することにより、前記電子部品を前記線材に固定する固定ステップと、
を有することを特徴とする電子部品の固定方法。
【請求項１０】
前記結束ステップでは、前記1又は複数の線材を結束バンドのバンド部と結束部の歯合作用によって結束することを特徴とする請求項９に記載の電子部品の固定方法。
【請求項１１】
前記結束バンドのバンド部が、前記電子部品の固定部の開口部に挿入されることにより、前記バンド部と前記固定部の開口部が嵌合状態となることを特徴とする請求項９又は１０に記載の電子部品の固定方法。
【請求項１２】
前記結束バンドのバンド部が弾性を有し、前記電子部品の固定部の開口部に挿入されることにより、前記バンド部と前記固定部の開口部が留められた状態となることを特徴とする請求項９又は１０に記載の電子部品の固定方法。
【請求項１３】
前記結束ステップでは、前記1又は複数の線材が前記結束部に備わる挿入口に前記バンド部を通して形成された閉ループに通されてから結束されることを特徴とする、請求項９又は１０に記載の電子部品。
【請求項１４】
前記固定ステップでは、前記バンド部のうちの前記閉ループを形成しない部分が、前記電子部品の固定部の前記開口部に挿入されることを特徴とする請求項９又は１０に記載の電子部品。
【発明の詳細な説明】
【技術分野】
【０００１】
本発明は、電子部品及び電子部品の固定方法に関する。
【背景技術】
【０００２】
複数の電線を束ねたワイヤーハーネスを、フェライトコアに通す技術は広く知られている。また、ワイヤーハーネスを通したフェライトコアが動かぬよう、ワイヤーハーネスとフェライトコアを結束バンドで固定する方法も周知である。
【０００３】
以下、この方法について、図１及び図２を参照して説明する。図1は、分割コアを示す斜視図、図２は、ワイヤーハーネスと分割コアを固定する方法を示す説明図である。
【０００４】
図１に示すように、分割コア３は、分割されたフェライトコア３ａ、このフェライトコア３ａを保持するためのケース３ｂ、結束バンド１と分割コア３を固定するための固定部３ｃからなる。
【０００５】
図２（ａ）に示すように、分割コア３を開いてワイヤーハーネス２を入れ、図２（ｂ）に示すように、分割コア３を閉じる。次に、図２（ｃ）に示すように、分割コア３の固定部３ｃに結束バンド１を通し、更にワイヤーハーネス２の外側を周回させ、結束バンド１の結束部に挿入する。そして、図３（ｄ）に示すように、結束バンド１を引っ張ることで、ワイヤーハーネス２と分割コア３が固定される。
【０００６】
尚、特許文献１には、結束バンドで結束したワイヤーハーネスを、分割コアに収納することが開示されている。
【０００７】
また、実用新案文献１には、分割コア内部の固定部により、ケーブルを固定することが開示されている。
【先行技術文献】
【特許文献】
【０００８】
【特許文献１】特開平６−１６４１８３号公報（１９９４年６月１０日公開）
【特許文献２】実開平４−８２８１３号公報（１９９２年７月２０日公開）
【発明の概要】
【発明が解決しようとする課題】
【０００９】
ところで、ワイヤーハーネス２と分割コア３を結束バンド１で固定した場合、分割コア３をワイヤーハーネス２から取り外すためには、結束バンド１をハサミ等で切らなければならない。
【００１０】
ここで、図３を参照して、一般的な結束バンド１について説明する。図３は一般的な結束バンド１を示す説明図である。結束バンド１の正面図である、図３ａに示すように、結束バンド１は、結束部１ａとバンド部１ｂからなる。結束部１ａは、バンド部１ｂを挿入する挿入口１ｃと、挿入されたバンド部１ｂと噛合う爪部１ｄとを有する。結束バンド１の背面図である、図３ｂに示すように、結束バンド１のバンド部１ｂの裏面には、爪部１ｄと噛合う歯部１ｅが形成されている。図３（ａ）のＡ−Ａ線断面を、図３ｃに示す。この図３（ｃ）に示すように、爪部１ｄの歯部１ｆは、図３（ｄ）に示すように、バンド部１ｂを結束部１ａの裏面から挿入したときに、爪部１ｄの歯部１ｆと、バンド部１ｂの歯部１ｅとが、挿入方向と反対の方向で噛合うようになっている。従って、一旦、挿入口１ｃに挿入して、爪部１ｄの歯部１ｆとバンド部１ｂの歯部１ｅが噛合う位置を超えると、バンド部１ｂを抜くことができなくなる。そのため、一旦、結束バンド１で分割コア３とワイヤーハーネス２を結束してしまうと、ハサミ等で結束バンド１を切断しなければならない。従って、結束のやり直しや、調整等の都度、結束バンドを切断しなければならず、非効率であると共に、資源の無駄になってしまう。
【００１１】
そこで、本発明は、電子部品と線材を固定する電子部品及び電子部品の固定方法を提供する、ことを目的とする。
【課題を解決するための手段】
【００１２】
本発明によれば、バンド部と結束部を有する結束バンドと、結束バンドのバンド部が通ることが可能な開口部が形成された固定部を有する電子部品と、結束バンドの結束部とバンド部により結束された1又は複数の線材と、を備え、バンド部が、電子部品の固定部の開口部に挿入されることにより、１又は複数の線材に電子部品が固定されたことを特徴とする、電子部品組立品が提供される。
【００１３】
本発明によれば、１又は複数の線材を、結束バンドとバンド部によって結束する結束ステップと、結束バンドのバンド部を、電子部品の固定部の開口部に挿入することにより、電子部品を前記線材に固定する固定ステップと、を有することを特徴とする電子部品の固定方法が提供される。
【発明の効果】
【００１４】
本発明によれば、固定された電子部品と線材の固定状態を、結束バンドを切断することなく、解除することができる。
【図面の簡単な説明】
【００１５】
【図１】従来例の分割コアを示す斜視図である。
【図２】従来例の分割コアの固定方法を示す説明図である。
【図３】従来例の結束バンドを示す説明図である。
【図４】本発明の第１の実施の形態による分割コアの固定方法を示す説明図である。
【図５】本発明の第１の実施の形態による分割コアの固定解除方法を示す説明図である。
【図６】本発明の第２の実施の形態による分割コアの固定方法を示す説明図である。
【図７】本発明の第３の実施の形態による分割コアの固定方法を示す説明図である。
【図８】本発明の第４の実施の形態による分割コアの固定方法を示す説明図である。
【発明を実施するための形態】
【００１６】
以下、図面を参照して本発明を実施するための形態について詳細に説明する。
【００１７】
［第１の実施の形態］
第１の実施の形態は、第１乃至第７の実施の形態による電子部品に関するものである。図４は、分割コアの固定方法を示す説明図である。
【００１８】
図４（ａ）に示すように、まず、ワイヤーハーネス２を結束バンド１で結束する。図３を参照して説明したように、結束バンド１の裏面から、結束バンド１のバンド部１ｂを結束部１ａに挿入し、バンド部１ｂを引っ張ることによって、爪部１ｄの歯部１ｆと、バンド部１ｂの歯部１ｅが噛合わされて結束される。図４（ａ）に示すように、ワイヤーハーネス２が絞められるまでバンド部１ｂを引っ張ることで、ワイヤーハーネス２の結束を行うことができる。ここで、分割コア３をワイヤーハーネス２に通してから閉じる。次に、図４（ｂ）に示すように、バンド部１ｂを、分割コア３の固定部３ｃの孔に通す。
【００１９】
図４（ｃ）に示すように、結束バンド１のバンド部１ｂを所望の長さだけ挿入した後、固定部３ｃから突出したバンド部１ｂを、所望の長さだけ残してカットする。以上の処理により、分割コア３がワイヤーハーネス２と固定される。ワイヤーハーネス２は、結束バンド１によって結束されているため、分割コア３の固定は、固定部３ｃの孔に結束バンド１のバンド部１ｂが通されるだけで良い。
【００２０】
また、結束バンド１のバンド部１ｂを分割コア３の固定部３ｃの孔に通したとき、分割コア３とワイヤーハーネス２の長さ方向に対して概ね直行する方向となり、しかも、結束バンドにはある程度の弾性があるため、分割コア３の向きがどのような向きとなっても、分割コア３自体が回転できないので、結束バンド１のバンド部１ｂが分割コア３の固定部３ｃから抜けることはない。
【００２１】
また、ワイヤーハーネス２の重量が、結束バンド１の弾性力を相殺するほどの重さだった場合においても、結束バンド１を例えば固定部３ｃからわずかにバンド部１ｂが突出するほど短くカットしない限り、分割コア３自体は１回転以上回転しないので抜けることはない。
【００２２】
また、結束バンドに弾性（元に戻ろうとする力）がある場合、または結束バンドを短く切らなかった場合は、固定部３ｃの孔方向が下向き、即ち、ワイヤーハーネス２及び分割コア３が水平状態にされた場合でも抜けることはない。
【００２３】
次に、分割コア３とワイヤーハーネス２の固定解除について、図５を参照して説明する。図５は、分割コア３とワイヤーハーネス２の固定解除方法の説明図である。
【００２４】
図５（ａ）分割コア３とワイヤーハーネス２が固定されている状態である。図５（ｂ）すように、分割コア３を開き、図５（ｃ）に示すように、分割コア３の固定部３ｃの孔から結束バンド１のバンド部１ｂを引き抜くことによって、固定状態を解除することができる。尚、分割コア３を開く前に結束バンド１のバンド部１ｂを、分割コア３の固定部３ｃから引き抜いても良い。
【００２５】
以上説明したように、ワイヤーハーネス２を結束バンド１で結束した後、分割コア３の固定部３ｃに、結束バンド１のバンド部１ｂを挿入することによって、分割コア３をワイヤーハーネス２に固定するようにしたので、固定状態の解除は、結束バンド１のバンド部１ｂを、分割コア３の固定部３ｃから引き抜くだけである。従って、効率的であると共に、結束バンド１を何度も使用することができるので、資源を有効活用することができる。
【００２６】
[第２の実施の形態]
第１の実施の形態においては、ワイヤーハーネス２を、分割コア３に１度だけ通したが、ワイヤーハーネス２を２度通すようにしても良い。以下、図６を参照して説明する。図６は、ワイヤーハーネス２を分割コア３に２度通す方法を示す説明図である。
【００２７】
図６（ａ）に示すように、まず、ワイヤーハーネスを結束バンド１で結束する。図３を参照して説明したように、結束バンド１の裏面から、結束バンド１のバンド部１ｂを挿入し、バンド部１ｂを引っ張ることによって、爪部１ｄの歯部１ｆと、バンド部１ｂの歯部１ｅを噛合わせることで結束される。図４（ａ）に示すように、ワイヤーハーネス２が絞められるまでバンド部１ｂを引っ張ることで、ワイヤーハーネス２の結束を行うことができる。
【００２８】
次に、図６（ｂ）に示すように、分割コア３を開き、ワイヤーハーネス２で輪を作り、その輪で分割コア３の片方（図において上側）を輪に挿入する。そして、図６（ｃ）に示すように、分割コア３を閉じ、バンド部１ｂを、分割コア３の固定部３ｃの孔に通す。その後は、図４（ｃ）にて説明したように、結束バンド１のバンド部１ｂを所望の長さだけ挿入した後、固定部３ｃから突出したバンド部１ｂを、所望の長さだけ残してカットする。以上の処理により、分割コア３がワイヤーハーネス２と固定される。
【００２９】
尚、分割コア３とワイヤーハーネス２の固定解除は、図５を参照して説明した解除方法と同様である。
【００３０】
以上説明したように、ワイヤーハーネス２を結束バンド１で結束した後、分割コア３の固定部３ｃに、結束バンド１のバンド部１ｂを挿入させることによって、分割コア３をワイヤーハーネス２に固定するようにしたので、固定状態の解除は、結束バンド１のバンド部１ｂを、分割コア３の固定部３ｃから引き抜くだけである。従って、効率的であると共に、結束バンド１を何度も使用することができるので、資源を有効活用することができる。加えて、ワイヤーハーネス２を、分割コア３に２度通したことで、より電気的特性を向上させることができる。
【００３１】
[第３の実施の形態]
第１及び第２の実施の形態において説明した結束バンド１に、更に固定部が形成されている結束バンド１０を用いるようにしても良い。以下、図７を参照して、第３の実施の形態について説明する。図７は、固定部を有する結束バンド１０を用いた固定方法を示す説明図である。
【００３２】
図７（ａ）に示すように、結束バンド１０は、結束部の先端に固定部１０ａを有する。以下、固定方法について説明する。図７（ａ）に示すように、結束バンド１０で結束したワイヤーハーネス２を、分割コア３に通し、結束バンド１０を分割コア３の固定部３ｃに挿入する。
【００３３】
次に、図７（ｂ）に示すように、分割コア３を閉じる。そして、図７（ｃ）に示すように、固定部１０ａの孔に螺子１１を挿入し、電子機器などに螺子止めをする。
【００３４】
[第４の実施の形態]
第３の実施の形態において説明した結束バンドの固定部とは異なる固定部を持つ結束バンド１０を用いるようにしても良い。以下、図８を参照して、第４の実施の形態について説明する。図８は、固定部を有する結束バンド２０を用いた固定方法を示す説明図である。
【００３５】
図８（ａ）に示すように、結束バンド２０は、結束部の先端に固定部２０ａを有する。以下、固定方法について説明する。図４、図６及び図７を参照して説明したように、結束バンド２０で結束したワイヤーハーネス２を、分割コア３に通し、結束バンド２０を分割コア３の固定部３ｃに挿入し、分割コア３を閉じる。そして、図８（ｂ）に示すように、固定部２０ａを、電子機器の孔３０に挿入する。図８（ａ）に示したように、固定部２０ａは、孔３０に挿入したときに、カギ状となっている先端部分が引っかかることで、電子機器等と接続される。
【００３６】
[第５の実施の形態]
第１から第３の実施の形態においては、開閉する分割コア３を用いた場合について説明したが、開閉のしないコアを用いても良い。その場合、ワイヤーハーネス２の少なくとも一方が自由端となっており、この自由端を、コアの中心の空洞を通す必要がある。
【００３７】
[第６の実施の形態]
第１から第５の実施の形態においては、結束を解除することのできない結束バンドを用いた場合について説明したが、解除用部材を押圧することにより、結束が解除される再利用可能な結束バンドを用いても良い。その場合においても、解除用部材を押圧して結束を解除することなく、分割コア３とワイヤーハーネス２の固定を解除することができる。従って、分割コア３の固定部３ｃに結束バンドを通した上でワイヤーハーネス２と結束して、分割コア３とワイヤーハーネス２を固定した後に、この固定状態を、結束バンドの解除用部材を押圧して解除する場合と比して、ワイヤーハーネスの結束まで解除されないという点で、遥かに効率的である。
【００３８】
[第７の実施の形態]
結束バンド１のバンド部１ｂを固定部３ｃの孔に通す際に嵌合するよう、結束バンド１のバンド部１ｂの幅や厚みを選定するようにしても良い。これにより、固定部３ｃの孔よりサイズの小さいバンド部１ｂを選ぶ必要がなくなるため、結束バンド１の選定幅が広がる。
【産業上の利用可能性】
【００３９】
本発明は、結束バンドによる電子部品本体と線材の固定に利用することができる。
【符号の説明】
【００４０】
１      結束バンド
２      ワイヤーハーネス
３      分割コア
３ａ      フェライトコア
３ｂ      ケース
３ｃ      固定部
１０      結束バンド
１０ａ    固定部
１１      螺子
２０      結束バンド
２０ａ    固定部
３０      孔
【図１】
2018182176.tif 000003
【図２】
2018182176.tif 000004
【図３】
2018182176.tif 000005
【図４】
2018182176.tif 000006
【図５】
2018182176.tif 000007
【図６】
2018182176.tif 000008
【図７】
2018182176.tif 000009
【図８】
2018182176.tif 000010